(57)【要約】【課題】Ｕ字形クリップピンからなるネクタイ止め具をプラスチックで形成し、金属メッキすることで安価で高級感のある実用性の高いプラスチック製ネクタイピンを提供する。【解決手段】Ｕ字形クリップピンからなるネクタイ止め具をプラスチックで形成し、このプラスチックの止め具本体（１０）に造形装飾小片（１１）を付設し、止め具本体（１０）の全表面に金属メッキ又は金属コーティングによる金属被膜（１２）を形成する。金属被膜は金、銀、銅、チタン、ステンレスの光輝性被膜で構成する。厚さ、強度を増すために内面に小止め具を一体形成する。【選択図】図２
0003112015.tif 000002
【実用新案登録請求の範囲】
【請求項１】
Ｕ字形クリップピンからなるネクタイ止め具をプラスチックで形成し、このプラスチックの止め具本体（１０）に造形装飾小片（１１）を付設し、止め具本体（１０）の全表面に金属メッキ又は金属コーティングによる金属被膜（１２）を形成してなることを特徴とするプラスチック製ネクタイピン。
【請求項２】
前記金属被膜（１２）は、金又は銀、銅、チタン、ステンレスの光輝性被膜で構成してなることを特徴とする請求項１記載のプラスチック製ネクタイピン。
【請求項３】
前記止め具本体（１０）のＵ字形部の内面に小止め具（１０ａ）を一体に形成し滑り止めとしてなることを特徴とする請求項１記載のプラスチック製ネクタイピン。
【考案の詳細な説明】
【技術分野】
【０００１】
本考案は、カッターシャツに装着したネクタイを止めるのに使用されるネクタイピンに関する。
【背景技術】
【０００２】
ネクタイピンは、単にネクタイを止めるだけでなく男性の御洒落なアクセサリー的な装身具として広く愛用されている。このようなネクタイピンは構造的には金属の板材を加工して一端を枢支ピンで結合し他端がばね圧により開閉式に開いてネクタイを挟むように構成したもの、あるいは挟持部にばね押えを付加的に内装したもの等が一般的である。（特許文献１乃至２参照。）
【０００３】
しかし、このような従来のネクタイピンは、鉄や黄銅、ステンレス鋼、或いはチタンといった金属乃至は貴金属が使われ、これを専用の加工機械で曲げたり、切断、研削、組立等の加工をするものであるため、簡単な構成のものでも比較的高価である。
【０００４】
本件の考案者は、従来金属でつくられていたネクタイピンをプラスチックでつくり、安価で高級感のある実用性の高いネクタイピンが作れないかと考えた。
【０００５】
【特許文献１】実開平６−４４４０９号公報
【特許文献２】実開平５−９５３０６号公報
【考案の開示】
【考案が解決しようとする課題】
【０００６】
しかし、現実にはプラスチックは、金属と異なり見た目にも安物の感がある上に、ばね性が乏しい為にネクタイ止めに必要な挟持力も少ないので、高級感のある実用性の高いプラスチック製ネクタイピンは未だ商品化されるに至っていないのが現状である。
【０００７】
本考案は、上記に鑑みてなされたものであり、その目的とするところは、安価で高級感のある実用性の高いプラスチック製のネクタイピンを簡単に製作でき、これまで商品化できなかったプラスチック製のネクタイピンを安価に提供することにある。
【課題を解決するための手段】
【０００８】
本考案のプラスチック製ネクタイピンは、Ｕ字形クリップピンからなるネクタイ止め具をプラスチックで形成し、このプラスチックの止め具本体（１０）に造形装飾小片（１１）を付設し、止め具本体（１０）の全表面に金属メッキ又は金属コーティングによる金属被膜（１２）を形成してなることを特徴とする。
【０００９】
上記の構成とすることによりプラスチックでＵ字形クリップピンを形成し、このクリップピンに簡単な加工を施すだけで高級感のあるネクタイピンが安価に得られる。
【００１０】
また、本考案のプラスチック製ネクタイピンは、前記金属被膜（１２）が、金又は銀、銅、チタン、ステンレスの光輝性被膜で構成してなることを特徴とする。
【００１１】
この構成によりプラスチック製のネクタイピンが金属又は貴金属製のように金属光沢の高級感のあふれる製品として安価に提供することができる。
【００１２】
さらに、本考案に係るプラスチック製ネクタイピンは、前記止め具本体（１０）のＵ字形部の内面に小止め具（１０ａ）を一体に形成し、滑り止めとしてなることを特徴とする。
【考案の効果】
【００１３】
本考案に係るネクタイピンは、プラスチックで形成したＵ字形クリップピンからなる止め具を、ネクタイピンの素材として利用するため、安価な材料が利用できるとともに、金属のように高級感のある実用性の高いプラスチックのネクタイピンを安価で提供できるものである。
【００１４】
金属メッキ又は金属コーティングによりプラスチック製のものとは思えない光輝性金属の輝きが得られる。
【００１５】
プラスチックのＵ字形クリップピンを内外２重に一体形成することでネクタイピンとしての機能を高めることができる。
【考案を実施するための最良の形態】
【００１６】
以下、実施例を図面を用いて本考案のプラスチックネクタイピンについて説明する。
【実施例】
【００１７】
図１（ａ）（ｂ）（ｃ）（ｄ）は、本考案のネクタイピンの素材となるＵ字形クリップピンからなるネクタイ止め具のいろいろな例を示している。このようなネクタイピンは、プラスチックの成形品でＵ字形を呈したものからなる。
【００１８】
止め具本体１０は、上記した（ａ）（ｂ）（ｃ）（ｄ）ようないろいろの形、大きさにプラスチックの成型金型を用いて形成し、これを素材とする。大きさや形は多種多様であり、このため、適当な形、大きさを揃えて選定する。また、適当な形にカットしたり加工して使用する。
【００１９】
図２乃至図４は、上記の止め具本体を素材にして、この素材に加工を施して構成されたネクタイピンの一例を示している。
【００２０】
上記のようなクリップピンからなる止め具本体１０はプラスチックの成形品で、Ｕ字形を呈したものであるため、挟持力としてのばね圧はそれ程強くない。ばね圧を強くする方法としては高熱下に又は常温のままで外圧をかけて挟持間隔を狭めることにより挟持力を高めることができる。また図４（イ）（ロ）に示すように止め具本体１０のＵ字形の内面に内外２重となるようにもう一つの小止め具１０ａを一体に嵌着することで厚みも増して挟持力を高めることができる。また、小止め具１０ａは滑り止めとするため、内面に滑り止め加工を施す。
【００２１】
さらに、同形同大の２本のクリップピン１０ｂ、１０ｃを横に並べて一体に接合すると、図４（ハ）（ニ）のように止め具本体１０の巾を広巾に形成することができる。横に並べるクリップピンは３本又は４本であっても差し仕えない。
【００２２】
上記の止め具本体１０には、図２（イ）（ロ）又は図３（イ）（ロ）に示すように外面部に蝶又は円盤形のような造形装飾小片１１を接着又は嵌着して一体的に付設する。このような装飾小片１１は、金属、プラスチック又は木製等の飾りを適宜に選定して付設する。
【００２３】
止め具本体１０の全表面には、金属メッキ又は金属のコーティングを施して全体に金属の被膜１２を形成する（図２（ハ））。金属メッキ、金属コーティングの好適なものとしては、アルミ、銅等の金属蒸着又はスパッタリングがある。金属蒸着やスパッタリングは止め具本体１０がプラスチックであるため仕上りがきれいで、金、銀、銅、チタン、ステンレスのようにピカピカのものとなる。また、光沢のあるものや光沢が少ないものを金、銀、銅等の金属メッキすることでプラスチックの成形品とは思えない豪華で高級感のあるネクタイピンが得られる。
【産業上の利用可能性】
【００２４】
以上のように、本考案に係るプラスチック製ネクタイピンは、Ｕ字形のクリップピンからなるネクタイ止め具をプラスチックで形成しこの止め具本体の全表面に金属メッキ又はコーティングにより金属被膜を形成するものであるため、プラスチックでありながら光輝性金属製品のように重厚で高級感のある製品として提供でき、機能的にも既存の金属製ネクタイピンと遜色がなく、而も従来品に比べ構成が簡単で製作加工が容易であり、コスト的にも格安に提供できるため、産業上の利用可能性は極めて大きい。
【図面の簡単な説明】
【００２５】
【図１】本考案のネクタイピンの素材となるプラスチックのＵ字形クリップピンからなる止め具のいろいろを示し、（ａ）（ｂ）（ｃ）（ｄ）はその一例の全体斜視図である。
【図２】本考案のプラスチック製ネクタイピンの一例を示し、（イ）（ロ）は全体の斜視図、（ハ）は図２（ロ）のＡーＡ線の拡大断面図である。
【図３】本考案プラスチック製ネクタイピンの他の実施例を示し（イ）は正面図、（ロ）は同ＢーＢ線の断面図である。
【図４】本考案のプラスチック製ネクタイピンのもう一つの実施例を示し、（イ）（ハ）は全体の斜視図、（ロ）は図４（イ）におけるＣーＣ線の断面図、（ニ）は図４（ハ）におけるＤーＤ線の断面図である。
【符号の説明】
【００２６】
１０    止め具本体
１１    装飾小片
１２    金属被膜
１０ａ  小止め具
【図１】
0003112015.tif 000003
【図２】
0003112015.tif 000004
【図３】
0003112015.tif 000005
【図４】
0003112015.tif 000006